(57)【特許請求の範囲】
【請求項１】
底面に小孔が形成された複数の灰皿を所定間隔おいて直線状に配置し、灰皿の下方に長い回収路を灰皿の配置方向に沿って設け、灰皿の小孔から落下した吸殻を搬送する無端のリンクチェーンの往路部分を回収路に形成された深底の往路小溝内に配置するとともに、同リンクチェーンの往路部分を緩めた状態で掛架してリンクチェーンの往路部分が回収路の往路小溝内の路底と摺動するようにし、回収路の往路小溝の路底に堆積した堆積物を掻き取る掻取部材をリンクチェーンに所定間隔おいて複数取り付け、無端のリンクチェーンの往路の終端部に搬送された吸殻及び掻き取られた堆積物を落下させて回収する回収箱を設け、リンクチェーンの往路の始端側となる往路小溝の路底より更に深く形成した回収路の始端部の路底を前記往路小溝の路底に連絡し、路底が連絡された回収路の始端部に水を貯水し、回収路の始端部の上方にリンクチェーンの従動ローラを設け、リンクチェーンを従動ローラで反転した後回収路の始端部の貯水に浸漬させて往路小溝へ送り込むようにし、しかもリンクチェーンのリンクは金属製棒材を略コ字状に曲折してその左右両端にフック（６ｅ）を有し、掻取部材は断面略楕円状でその一部に形成したスリットを介してリンクチェーンのリンクの左右のフック（６ｅ）の間に配置され、フック（６ｅ）を繋ぐ中間の掛合部（６ｄ）に上下揺動自在に嵌合したものである、吸殻回収装置。
【発明の詳細な説明】
【技術分野】
【０００１】
本発明は、灰皿に投じられたタバコの吸殻を自動的に回収する吸殻回収装置に関する。
【背景技術】
【０００２】
従来の吸殻回収装置が特許文献１に開示されている。この技術は、底面に小孔が形成された複数の灰皿を所定間隔おいて直線状に配置し、灰皿の下方に長い回収路を灰皿の配置方向に沿って設け、回収路内に灰皿の小孔から落下した吸殻を搬送する無端のリンクチェーンをその往路が回収路の路底を摺動するように配置し、リンクチェーンの終端部に搬送された吸殻を落下させて回収する回収箱を設けた構造を特徴としている。
【０００３】
ところで、前記技術のリンクチェーンは空隙が大きいから、吸殻より小さい灰・葉・巻紙・フィルター・その他異物等がリンクチェーンを通過して回収路の路底に堆積し易く、回収路内を頻繁に清掃する必要があった。また、堆積物を放置すると抵抗となってリンクチェーンが円滑に回動され難くなることもあった。
【特許文献１】特開２００４−３４４２１２号公報
【発明の開示】
【発明が解決しようとする課題】
【０００４】
本発明が解決しようとする課題は、従来のこれらの問題点を解消し、回収路の路底に堆積した堆積物を吸殻とともに搬送して回収できる吸殻回収装置を提供することにある。
【課題を解決するための手段】
【０００５】
かかる課題を解決した本発明は、
１）  底面に小孔が形成された複数の灰皿を所定間隔おいて直線状に配置し、灰皿の下方に長い回収路を灰皿の配置方向に沿って設け、灰皿の小孔から落下した吸殻を搬送する無端のリンクチェーンの往路部分を回収路に形成された深底の往路小溝内に配置するとともに、同リンクチェーンの往路部分を緩めた状態で掛架してリンクチェーンの往路部分が回収路の往路小溝内の路底と摺動するようにし、回収路の往路小溝の路底に堆積した堆積物を掻き取る掻取部材をリンクチェーンに所定間隔おいて複数取り付け、無端のリンクチェーンの往路の終端部に搬送された吸殻及び掻き取られた堆積物を落下させて回収する回収箱を設け、リンクチェーンの往路の始端側となる往路小溝の路底より更に深く形成した回収路の始端部の路底を前記往路小溝の路底に連絡し、路底が連絡された回収路の始端部に水を貯水し、回収路の始端部の上方にリンクチェーンの従動ローラを設け、リンクチェーンを従動ローラで反転した後回収路の始端部の貯水に浸漬させて往路小溝へ送り込むようにし、しかもリンクチェーンのリンクは金属製棒材を略コ字状に曲折してその左右両端にフック（６ｅ）を有し、掻取部材は断面略楕円状でその一部に形成したスリットを介してリンクチェーンのリンクの左右のフック（６ｅ）の間に配置され、フック（６ｅ）を繋ぐ中間の掛合部（６ｄ）に上下揺動自在に嵌合したものである、吸殻回収装置
にある。
【発明の効果】
【０００６】
本発明によれば、灰皿に吸殻が投じられると小孔から落下し、リンクチェーンで回収箱に回収される。吸殻より小さい灰・葉・巻紙・フィルター・その他異物等がリンクチェーンを通過して回収路の路底に堆積すると、リンクチェーンに有する掻取部材が回収路の路底を摺動しながら堆積物を搬送方向へ引きずるように掻き取り、吸殻とともに回収箱へ回収される。したがって、堆積物が回収路の路底に堆積し難くなり、回収路の清掃を簡略にできる。また、リンクチェーンも常に円滑に回動できるようになる。
【発明を実施するための最良の形態】
【０００７】
本発明の掻取部材は、耐熱性に優れる金属製のものが用いられ、リンクチェーンが浮いた際に自重で下がり易くするために、リンクチェーンの回動に影響を与えない範囲で比較的重量を有するものが用いられる。形状は揺動し易くするために断面略楕円状のものが好ましいが、外面に突起を形成して回収路の路底を強く掻き取りできるようにしてもよい。スリットはリンクチェーンに後付け及び取り外し可能にするためのものであり、そのスリットを斜め方向に又は円弧状に形成すると取り付け後に外れ難くなり好ましい。以下、本発明の実施例を図面に基づいて具体的に説明する。
【実施例１】
【０００８】
図１〜１０に示す実施例は、パチンコ台の島に本発明の吸殻回収装置を取り付けた例である。図１は実施例の吸殻回収装置を取り付けた状態を示す一部切欠き斜視図、図２は実施例の吸殻回収装置の説明図、図３は図２のＡ−Ａ断面図、図４は実施例の終端部の斜視図、図５は実施例の始端部の斜視図、図６は実施例のリンクチェーンの平面図、図７は図６のＡ−Ａ断面図、図８〜１０は実施例の吸殻回収装置の使用状態を示す説明図である。
【０００９】
図中、１はパチンコ台、２はテーブル、３は灰皿、３ａは小孔、４は回収路、４ａは往路小溝、４ｂは復路小溝、４ｃは路端壁、４ｄ，４ｅ，４ｆは従動ローラ、４ｇは駆動スプロケット、４ｈは従動歯車、４ｉは小突起、５は回収箱、６はリンクチェーン、６ａは往路、６ｂは復路、６ｃはリンク、６ｄは掛合部、６ｅはフック、７は掻取部材、７ａはスリット、８はモータ、８ａは駆動歯車、９は駆動チェーン、１０はバネ、Ｔは吸殻、Ｔａは堆積物、Ｗは水である。
【００１０】
本実施例の吸殻回収装置は、図１〜５に示すように複数台並設されたパチンコ台１の下部に細長のテーブル２を取り付け、底面に小孔３ａが形成された灰皿３をテーブル２のパチンコ台１毎の位置に取り付け、底面の中央部に小突起４ｉを長手方向に沿って備えた深底の往路小溝４ａとその両側に浅底の復路小溝４ｂが形成された回収路４を灰皿３の下方にテーブル２の長手方向に沿って取り付け、回収路４内の終端部に路端壁４ｃを形成してその下方に回収箱５を脱着自在に取り付けている。
【００１１】
回収路４の始端部には左右一対の従動ローラ４ｄを軸支するとともに、回収箱５の直上位置に左右一対の従動ローラ４ｅと１体の従動ローラ４ｆを軸支し、更に従動ローラ４ｅ，４ｆ間の位置に左右一対の駆動スプロケット４ｇを軸支し、従動ローラ４ｄ・駆動スプロケット４ｇ・従動ローラ４ｆ間に金属製の２条のリンクチェーン６の往路６ａを往路小溝４ａへ嵌入させて掛架し、従動ローラ４ｄ，４ｅ，４ｆ間にリンクチェーン６の復路６ｂを復路小溝４ｂへ嵌入させて掛架している。
【００１２】
リンクチェーン６は往路６ａが下方へ垂れて往路小溝４ａの路底を摺動するように緩めた状態に掛架している。回収路４の始端部は路底を深く形成して水Ｗを貯水し、リンクチェーン６が従動ローラ４ｄで反転した後に水Ｗに浸漬できるようにしている。回収箱５にも必要に応じて水Ｗを貯水してもよい。回収路４の小突起４ｉは、２条のリンクチェーン６の往路６ａを並列に摺動させるためのガイドである。
【００１３】
回収路４の終端部の下部にはモータ８を取り付け、モータ８の出力軸に備えた駆動歯車８ａと駆動スプロケット４ｇに備えた従動歯車４ｈ間に駆動チェーン９を掛架し、従動ローラ４ｆを下方へ付勢する左右一対のバネ１０を取り付けて従動ローラ４ｆと駆動スプロケット４ｇとの間のリンクチェーン６を緊張している。
【００１４】
リンクチェーン６は、図６，７に示すように金属製の棒材を略コ字状に曲折するとともにその両端部にフック６ｅを形成してリンク６ｃを構成し、フック６ｅを隣接する他のリンク６ｃの掛合部６ｄに掛合して無端となるように連鎖している。掻取部材７は金属製で、フック６ｅ間に配置できる幅で且つ断面略楕円状に形成し、その円弧状のスリット７ａを介して掛合部６ｄに脱着可能に嵌合し、リンクチェーン６に対して上下揺動自在にしている。
【００１５】
本実施例では、図２に示すようにモータ８を作動させると駆動力が駆動スプロケット４ｇに伝達され、駆動スプロケット４ｇがリンクチェーン６の往路６ａを路端壁４ｃ側へ引張して回動し、水Ｗで濡れた往路６ａが往路小溝４ａの路底を摺動する。図３に示すように遊技者が吸殻Ｔを灰皿３に投じると、小孔３ａを通じてリンクチェーン６の往路６ａ上に落下し、図８に示すように搬送されて回収箱５へ落下して回収される。
【００１６】
掻取部材７が駆動スプロケット４ｇを通過する際は、図９に示すように駆動スプロケット４ｇの歯間に嵌入して外方へ突出し、リンクチェーン６は駆動スプロケット４ｇから外れることなく円滑に回動できる。吸殻Ｔは火が消えていなくても水Ｗで濡れたリンクチェーン６で消火され、加熱したリンクチェーン６と掻取部材７も冷却される。
【００１７】
ここで、喫煙中に出た灰・葉・巻紙・フィルター・その他異物等がリンクチェーン６の空隙を通過して往路小溝４ａの路底に堆積し、従来では清掃が煩雑となるばかりか、放置するとリンクチェーン６の回動の抵抗となっていた。しかし、本実施例では図１０（ａ）に示すようにリンクチェーン６に取り付けられた掻取部材７が往路小溝４ａの路底を摺動しながら堆積物Ｔａを搬送方向へ引きずるように掻き取り、吸殻Ｔとともに回収箱５へ落下して回収できる。
【００１８】
リンクチェーン６が往路小溝４ａの路底から浮いた場合でも、図１０（ｂ）に示すように掻取部材７が自重で下方へ揺動して往路小溝４ａの路底を摺動するから、堆積物Ｔａを取り残すことなく掻き取ることができる。また、１回で掻き取られなかった場合でも、複数の掻取部材７が次々と通過するから確実に掻き取られる。したがって、堆積物Ｔａが往路小溝４ａに堆積し難くなって回収路４の清掃を簡略にでき、リンクチェーン６も常に円滑に回動できるようになる。
【００１９】
図１１に示すのは実施例の掻取部材の他の例で、リンクチェーンに取り付け後に外れ難くしたものである。図１１は実施例の他の例の掻取部材の平面図と側面図である。図１１（ａ）に示す掻取部材７は、スリット７ａを断面斜めに形成し、取り付け後に容易に変形しないようにして外れ難くしている。図１１（ｂ）に示す掻取部材７は、スリット７ａを平面斜めに形成し、スリット７ａがリンク６ｃの掛合部６ｄと並行しないようにして外れ難くしている。その他、符号、構成、作用効果は実施例と同じである。
【００２０】
図１２に示すのは実施例の掻取部材の他の例で、リンクチェーンに嵌合し易くするとともに外れ難くしたものである。図１２は実施例の他の例の掻取部材の平面図と側面図である。図１２（ａ）〜（ｃ）に示す掻取部材７は、一端部にスリット７ａを内側へ窪むように形成し、リンク６ｃの掛合部６ｄに嵌合する際は容易に開いて取り付け易く、取り付け後は強制的に開かないと外れ難くなっている。その他、符号、構成、作用効果は実施例と同じである。
【００２１】
図１３に示すのは実施例の掻取部材の他の例で、スリットを省略し、リンクチェーンの製作時に恒久的に取り付けるようにしたものである。図１３は実施例の他の例の掻取部材の平面図と側面図である。図中、７ｂは挿通孔である。図１３（ａ）に示す掻取部材７は、両端部を環状に曲折して挿通孔７ｂを形成し、いずれか一方の挿通孔７ｂにリンク６ｃの掛合部６ｄを挿通し、他方を掻き取り用にしている。図１３（ｂ）に示す掻取部材７は、片端部に挿通孔７ｂを貫通している。その他、符号、構成、作用効果は実施例と同じである。
【産業上の利用可能性】
【００２２】
本発明の吸殻回収装置は、遊技場・食堂・会議室等の喫煙場所に設置される。
【図面の簡単な説明】
【００２３】
【図１】実施例の吸殻回収装置を取り付けた状態を示す一部切欠き斜視図である。
【図２】実施例の吸殻回収装置の説明図である。
【図３】図２のＡ−Ａ断面図である。
【図４】実施例の終端部の斜視図である。
【図５】実施例の始端部の斜視図である。
【図６】実施例のリンクチェーンの平面図である。
【図７】図６のＡ−Ａ断面図である。
【図８】実施例の吸殻回収装置の使用状態を示す説明図である。
【図９】実施例の吸殻回収装置の使用状態を示す説明図である。
【図１０】実施例の吸殻回収装置の使用状態を示す説明図である。
【図１１】実施例の他の例の掻取部材の平面図と側面図である。
【図１２】実施例の他の例の掻取部材の平面図と側面図である。
【図１３】実施例の他の例の掻取部材の平面図と側面図である。
【符号の説明】
【００２４】
１  パチンコ台
２  テーブル
３  灰皿
３ａ  小孔
４  回収路
４ａ  往路小溝
４ｂ  復路小溝
４ｃ  路端壁
４ｄ，４ｅ，４ｆ  従動ローラ
４ｇ  駆動スプロケット
４ｈ  従動歯車
４ｉ  小突起
５  回収箱
６  リンクチェーン
６ａ  往路
６ｂ  復路
６ｃ  リンク
６ｄ  掛合部
６ｅ  フック
７  掻取部材
７ａ  スリット
７ｂ  挿通孔
８  モータ
８ａ  駆動歯車
９  駆動チェーン
１０  バネ
Ｔ  吸殻
Ｔａ  堆積物
Ｗ  水
【図１】
0004897717.tif 000002
【図２】
0004897717.tif 000003
【図３】
0004897717.tif 000004
【図４】
0004897717.tif 000005
【図５】
0004897717.tif 000006
【図６】
0004897717.tif 000007
【図７】
0004897717.tif 000008
【図８】
0004897717.tif 000009
【図９】
0004897717.tif 000010
【図１０】
0004897717.tif 000011
【図１１】
0004897717.tif 000012
【図１２】
0004897717.tif 000013
【図１３】
0004897717.tif 000014